(57)【要約】【課題】  接地極を有するプラグに対応しながらも、プラグが接続されていない状態で栓刃挿入口に埃等の異物が入り込むことを防ぐことができるコンセントを提供する。【解決手段】  接地極の栓刃が挿入される１個の接地栓刃挿入口１０ｃを含む３個１組の栓刃挿入口１０ａ〜１０ｃが設けられたハウジング１を備える。ハウジング１には、栓刃挿入口１０ａ〜１０ｃに対応した寸法形状の３個１組の栓刃挿通穴２０ａ〜２０ｃを有する扉体２が取り付けられている。扉体２は、栓刃挿通穴２０ａ〜２０ｃをハウジング１の栓刃挿入口１０ａ〜１０ｃに連通させて各栓刃挿入口１０ａ〜１０ｃへの栓刃の挿入を可能とする開位置と、各栓刃挿入口１０ａ〜１０ｃをそれぞれ閉塞する閉位置との間で、栓刃挿入口１０ａ〜１０ｃに対する栓刃の挿入方向に直交する面内でハウジング１に対して回動自在となっている。【選択図】図１
2007305489.tif 000002
【特許請求の範囲】
【請求項１】
接地極の栓刃が挿入される１個の接地栓刃挿入口を含む３個１組の栓刃挿入口が設けられたハウジングと、
栓刃挿入口に対応した寸法形状の３個１組の栓刃挿通穴が設けられ、栓刃挿通穴をハウジングの栓刃挿入口に連通させて各栓刃挿入口への栓刃の挿入を可能とする開位置と、各栓刃挿入口をそれぞれ閉塞する閉位置との間で、栓刃挿入口に対する栓刃の挿入方向に直交する面内でハウジングに対して回動自在に取り付けられた扉体とを備えることを特徴とするコンセント。
【請求項２】
閉位置において各栓刃挿通穴の位置はそれぞれ対応する栓刃挿入口の位置に対して栓刃挿入方向から見て時計回り方向又は反時計回り方向の一方側に９０°未満の角度だけずれていることを特徴とする請求項１記載のコンセント。
【請求項３】
ハウジングは所定の向きで固定されるものであって、栓刃挿入口のうち電圧側極の栓刃が挿入される電圧側栓刃挿入口と接地側極の栓刃が挿入される接地側栓刃挿入口とは互いに上下に並べて配置されていることを特徴とする請求項２記載のコンセント。
【発明の詳細な説明】
【技術分野】
【０００１】
本発明は、コンセントに関するものである。
【背景技術】
【０００２】
従来から、図９（ａ）（ｂ）に示すように、それぞれプラグの栓刃が挿入される２個１組の栓刃挿入口１０ａ，１０ｂが設けられたハウジング１と、栓刃挿入口１０ａ，１０ｂを開閉する扉体２とを備えるコンセントが提供されている（例えば、特許文献１参照）。
【０００３】
詳しく説明すると、扉体２は、栓刃挿入口１０ａ，１０ｂに対応した寸法形状の２個１組の栓刃挿通穴２０ａ，２０ｂを有し、図９（ｂ）に示すように各栓刃挿通穴２０ａ，２０ｂをそれぞれハウジング１の栓刃挿入口１０ａ，１０ｂに連通させて各栓刃挿入口１０ａ，１０ｂへの栓刃の挿入を可能とする開位置と、図９（ａ）に示すように栓刃挿通穴２０ａ，２０ｂの位置と栓刃挿入口１０ａ，１０ｂの位置とをずらして各栓刃挿入口１０ａ，１０ｂをそれぞれ閉塞する閉位置との間で、栓刃挿入口１０ａ，１０ｂに対する栓刃の挿入方向に直交する面内（図９（ａ）（ｂ）の面内）でハウジング１に対して回動自在に取り付けられている。
【０００４】
上記従来例によれば、プラグが接続されていないときには扉体２が閉位置に維持されるようにしておけば、栓刃挿入口１０ａ，１０ｂに入り込む埃等の異物を扉体２によって阻止することができる。また、プラグを接続する際には、扉体２をハウジング１に対して矢印Ａ２で示すように回動させれば、栓刃挿通穴２０ａ，２０ｂを通じて栓刃挿入口１０ａ，１０ｂに栓刃を挿入することができるようになる。
【特許文献１】特開平６−５２９２６号公報
【発明の開示】
【発明が解決しようとする課題】
【０００５】
しかし、接地極を有するプラグに対応したコンセントであって上記のような扉体２を備えるものは提供されていなかった。
【０００６】
本発明は上記事由に鑑みて為されたものであり、その目的は、接地極を有するプラグに対応しながらも、プラグが接続されていない状態で栓刃挿入口に埃等の異物が入り込むことを防ぐことができるコンセントを提供することにある。
【課題を解決するための手段】
【０００７】
請求項１の発明は、接地極の栓刃が挿入される１個の接地栓刃挿入口を含む３個１組の栓刃挿入口が設けられたハウジングと、栓刃挿入口に対応した寸法形状の３個１組の栓刃挿通穴が設けられ、栓刃挿通穴をハウジングの栓刃挿入口に連通させて各栓刃挿入口への栓刃の挿入を可能とする開位置と、各栓刃挿入口をそれぞれ閉塞する閉位置との間で、栓刃挿入口に対する栓刃の挿入方向に直交する面内でハウジングに対して回動自在に取り付けられた扉体とを備えることを特徴とする。
【０００８】
この発明によれば、プラグが接続されていないときに栓刃挿入口に埃等の異物が入り込むことを、扉体によって防ぐことができる。また、接地栓刃挿入口を有することにより、接地極の栓刃を有するプラグを接続することができる。
【０００９】
請求項２の発明は、請求項１の発明において、閉位置において各栓刃挿通穴の位置はそれぞれ対応する栓刃挿入口の位置に対して栓刃挿入方向から見て時計回り方向又は反時計回り方向の一方側に９０°未満の角度だけずれていることを特徴とする。
【００１０】
この発明によれば、閉位置と開位置との間での扉体の回動角度が９０°未満となるから、例えば閉位置において各栓刃挿通穴の位置をそれぞれ対応する栓刃挿入口の位置に対して栓刃挿入方向から見て１８０°反転させる場合に比べ、プラグを接続する際の扉体の回動角度が小さくてすむ。
【００１１】
請求項３の発明は、請求項２の発明において、ハウジングは所定の向きで固定されるものであって、栓刃挿入口のうち電圧側極の栓刃が挿入される電圧側栓刃挿入口と接地側極の栓刃が挿入される接地側栓刃挿入口とは互いに上下に並べて配置されていることを特徴とする。
【００１２】
この発明によれば、電圧側栓刃挿入口と接地側栓刃挿入口とを斜めに並べる場合に比べ、使用者にとって扉体の開位置の向きが分かりやすいから、扉体を過剰に回動させる力が加えられにくい。
【発明の効果】
【００１３】
本発明は、接地極の栓刃が挿入される１個の接地栓刃挿入口を含む３個１組の栓刃挿入口が設けられたハウジングと、栓刃挿入口に対応した寸法形状の３個１組の栓刃挿通穴が設けられ、栓刃挿通穴をハウジングの栓刃挿入口に連通させて各栓刃挿入口への栓刃の挿入を可能とする開位置と、各栓刃挿入口をそれぞれ閉塞する閉位置との間で、栓刃挿入口に対する栓刃の挿入方向に直交する面内でハウジングに対して回動自在に取り付けられた扉体とを備えるので、プラグが接続されていないときに栓刃挿入口に埃等の異物が入り込むことを、扉体によって防ぐことができる。また、接地栓刃挿入口を有することにより、接地極の栓刃を有するプラグを接続することができる。
【発明を実施するための最良の形態】
【００１４】
以下、本発明を実施するための最良の形態について、図面を参照しながら説明する。
【００１５】
本実施形態は、図４に示すように、接地極の栓刃（図示せず）が挿入される１個の接地栓刃挿入口１０ｃを含む３個１組の栓刃挿入口１０ａ〜１０ｃが設けられたハウジング１と、図１（ａ）及び図２（ａ）及び図３（ａ）に示すように栓刃挿入口を閉塞する閉位置と、図１（ｂ）及び図２（ｂ）に示すように栓刃挿入口を開放する開位置との間でハウジングに対して回動自在に取り付けられた扉体２とを備える。以下、上下左右は図１（ａ）を基準とし、図１（ａ）における紙面手前方向を前方向と呼ぶ。
【００１６】
詳しく説明すると、ハウジング１は、図４に示すように、充電部である後述する端子ブロック５ａ〜５ｃを収納する収納凹部３０が前面に開口したボディ３と、栓刃挿入口１０ａ〜１０ｃが前後に貫設されボディ３の前側に結合して収納凹部３０を覆うカバー４とを備える。カバー４は、栓刃挿入口１０ａ〜１０ｃが設けられたボス部４１と、ボス部４１の左右両側にそれぞれ設けられ前面がボス部４１の前面よりも後側に位置する取付部４２とを有する。ボディ３とカバー４とは、栓刃挿入口１０ａ〜１０ｂの左右にそれぞれ取り付けられた組立金具１１によって互いに結合している。組立金具１１は、ハウジング１の前側に位置する本体部１１ａと、本体部１１ａの上下両端部からそれぞれ後方へ突設された腕部１１ｂとを有する。カバー４の取付部４２の上下両面と、ボディ３の上下両面の左右両端部とには、それぞれ前後に開放されてカバー４とボディ３とで互いに連通する組立溝４２ａ，３２ａが設けられており、各組立金具１１の各腕部１１ｂはそれぞれ一部が組立溝４２ａ，３２ａに収納される。また、各腕部１１ｂの後端部はそれぞれ二又に分かれており、ボディ３の組立溝３２ａの後側において組立金具１１の腕部１１ｂの後端部を左右に広げることによって組立金具１１はハウジング１の前方への脱落を防止され、ここにおいてボディ３とカバー４とは互いに結合する。ここで、ハウジング１は、ＪＩＳに規定された配線器具の単位寸法に形成されており、各組立金具１１の本体部１１ａには、それぞれ大角連用形の取付枠に設けられているのと同様の取付穴（図示せず）に係入する２個の組立片１１ｃが、上下に並べて左右方向の外側へ突設されている。すなわち、本実施形態は、既存の取付枠への配線器具の取付と同様にして、例えば洗面化粧台などの住設機器に、上下を図１（ａ）に示す向きとして固定される。
【００１７】
栓刃挿入口１０ａ〜１０ｃには、接地栓刃挿入口１０ｃの他、電圧側極の栓刃（図示せず）が挿入される電圧側栓刃挿入口１０ａと、接地側極の栓刃（図示せず）接地側栓刃挿入口１０ｂとがあり、電圧側栓刃挿入口１０ａと接地側栓刃挿入口１０ｂとは上下に並べて設けられ、それぞれ接地栓刃挿入口１０ｃの右側に位置している。本実施形態は、１５Ａ１２５Ｖ用のプラグに対応しており、電圧側栓刃挿入口１０ａと接地側栓刃挿入口１０ｂとはそれぞれ左右に長い長方形状となっている。
【００１８】
収納凹部３０には、栓刃挿入口１０ａ〜１０ｃから挿入された栓刃に接触導通する３個の端子ブロック５ａ〜５ｃが収納されている。そして、ボディ３０には、収納凹部３０を左右に仕切る絶縁壁３１が設けられている。端子ブロック５ａ〜５ｃのうち、接地栓刃挿入口１０ｃから挿入された栓刃を刃受け部５１に挟持する（すなわち、接地栓刃挿入口１０ｃに対応した）接地端子ブロック５ｃは絶縁壁３１の左側に収納され、電圧側栓刃挿入口１０ａに対応した電圧側端子ブロック５ａと接地側栓刃挿入口１０ｂに対応した接地側端子ブロック５ｂとは絶縁壁３１の右側において上下に並べて配置されている。また、絶縁壁３１の右面には、電圧側端子ブロック５ａと接地側端子ブロック５ｂとの間に位置してこれら端子ブロック５ａ，５ｂ間の絶縁を確保する仕切り部３１ａが上下の中央部から右方へ突設されている。
【００１９】
各端子ブロック５ａ〜５ｃは、それぞれ、例えば金属板に打ち抜き加工と曲げ加工とが施されてなり、対応する栓刃挿入口１０ａ〜１０ｃから挿入された栓刃を上下から弾性的に挟持する刃受け部５１と、上方から見て後側に開口したコ字形状の端子部５２とを有する。接地栓刃挿入口１０ｃから挿入された栓刃を刃受け部５１に挟持する（すなわち、接地栓刃挿入口１０ｃに対応した）接地端子ブロック５ｃには、端子部５２が上下に並べて２個設けられている。各端子部５２の内側には、それぞれ端子部５２とともに周知の速結端子を構成する鎖錠ばね６が配置されている。各鎖錠ばね６は、それぞれ、例えば金属板に曲げ加工を施すことにより形成され、端子部５２の左右のうち内側の内面に接触する本体部６１と、本体部６１の後端部から左右方向の外側に突設され先端に向かって前方へ傾斜した鎖錠部６２と、本体部６１の前端部から左右方向の外側に突設され全体としてＳ字形状の押付け部６３とを有する。図３（ｄ）に示すように、ボディ３において各鎖錠部６２の後側には、それぞれ電線（図示せず）が挿入される電線挿入穴１２ａ〜１２ｃが前後に貫設されている。すなわち、電線挿入穴１２ａ〜１２ｃから挿入された電線は、鎖錠部６２の先端が食い込む（すなわち、鎖錠部６２に鎖錠される）ことによって抜け止めされるとともに、押付け部６３によって端子部５２の内面に押し付けられる。ここで、接地端子ブロック５ｃに対応した電線挿入穴１２ｃは２個設けられており、一方を送り配線に用いることができる。さらに、収納凹部３０の左右両端部には、それぞれ例えば合成樹脂のような絶縁材料からなる解除釦７が収納されている。各解除釦７は、上下の端部がそれぞれ鎖錠ばね６の鎖錠部６２の後側に位置している。さらに、ボディ３において各解除釦７の後側には、それぞれ解除穴１３が前後に貫設されている。電線挿入穴１２ａ〜１２ｃに挿入された電線を抜くには、解除穴１３から例えばマイナスドライバのような治具（図示せず）を挿入して解除釦７を押し込む。すると、解除釦７の後側に位置する２個の鎖錠ばね６がそれぞれ鎖錠部６２を解除釦７に押圧されて弾性変形し、鎖錠が解除されて電線を抜くことができる。つまり、電圧側端子ブロック５ａの端子部５２と接地側端子ブロック５ｂの端子部５２とでは右側の解除釦７によって、接地端子ブロック５ｃの２個の端子部５２では左側の解除釦７によって、それぞれ同時に鎖錠を解除される。
【００２０】
以下、本実施形態の要部たる扉体２について説明する。扉体２は、厚さ方向を前後方向に向けた円盤形状の本体部２ａと、本体部２ａの中央部から後方に突設された軸部（図示せず）とを有する。扉体２の本体部２ａには、栓刃挿入口１０ａ〜１０ｃと略同じ寸法形状及び配置で、プラグの栓刃が挿通される栓刃挿通穴２０ａ〜２０ｃが前後に貫設されている。
【００２１】
また、カバー４において栓刃挿入口１０ａ〜１０ｃに囲まれた中央部には、扉体２の軸部が挿通される軸受け穴４０が前後に貫設されている。扉体２は、軸受け穴４０に軸部を挿通されるとともに、外径が軸受け穴４０の開口の径よりも大きく中央に鋲挿通穴２１ａが貫設された円板形状の押さえ板２１が、鋲挿通穴２１ａに挿通されて軸部に打ち込まれる鋲２２によって軸部の後端に固定されることにより、カバー４に対して前方から見た面内で回動自在に取り付けられている。
【００２２】
さらに、カバー４においてボス部４１の前面の上端には、円弧形状の制限凹部４１ａが設けられている。扉体２の本体部２ａの上端部の後面には被制限突起２ｃが後方へ突設されており、被制限突起２ｃが制限凹部４１ａの左右の内面に当接することにより、ハウジング１に対する扉体２の回動範囲が制限されている。ハウジング１に対する扉体２の回動範囲は、図１（ａ）及び図２（ａ）に示すように閉位置に対して反時計回りに回動して栓刃挿通穴２０ａ〜２０ｃの位置を栓刃挿入口１０ａ〜１０ｃの位置に対して反時計回りにずらして栓刃挿入口１０ａ〜１０ｃを閉塞する閉位置から、図１（ｂ）及び図２（ｂ）に示すように閉位置から矢印Ａ１で示すように時計回りに回動して栓刃挿通穴２０ａ〜２０ｃと栓刃挿入口１０ａ〜１０ｃとを連通させる開位置までとなっている。本実施形態では、閉位置と開位置との間の扉体２の回動角度は５５°となっているが、本実施形態の閉位置から±１０°の範囲内であっても栓刃挿入口１０ａ〜１０ｃは扉体２によって覆われる。
【００２３】
また、軸受け穴４０には、扉体２の軸部が挿通され一端がカバー４に連結されて他端が扉体２に連結されたねじりコイルばねからなり扉体２を閉位置に復帰させる復帰ばね２３が収納されている。すなわち、プラグが接続されていないときには、復帰ばね２３のばね力により扉体２は閉位置に維持されるのであり、プラグを抜いた後に手動操作で扉体２を閉位置に戻す必要がない。
【００２４】
上記構成によれば、プラグが接続されていないときには、栓刃挿入口１０ａ〜１０ｃへの埃等の異物が、扉体２によって阻止される。また、接地栓刃挿入口１０ｃを有することにより、接地極の栓刃を有するプラグに対応している。さらに、電圧側栓刃挿入口１０ａと接地側栓刃挿入口１０ｂとが上下に並べて設けられていることにより、電圧側栓刃挿入口１０ａと接地側栓刃挿入口１０ｂとが斜めに並べて設けられる場合に比べ、使用者にとって扉体２の開位置の向きが分かりやすいから、扉体２を過剰に回動させる力が加えられにくい。
【００２５】
ここで、閉位置を、図５（ｂ）に示すように開位置に対して１８０度回動した位置としたり、図５（ｃ）に示すように開位置に対して時計回りに回動した位置としても、扉体２によって栓刃挿入口１０ａ〜１０ｃを覆うことはできる。しかし、閉位置は図５（ａ）に示す本実施形態のように開位置に対して反時計回りに回動させた位置とするほうが、図５（ｂ）の場合に比べて回動角度が小さくなり、図５（ｃ）の場合に比べて右利きの人間にとって操作しやすくなるから望ましい。
【００２６】
本実施形態のハウジング１の前面は、図６（ａ）に示すように化粧カバー８によって覆われる。図６（ｂ）の例では、押釦ハンドル１４によって操作される押釦スイッチ（図示せず）が本実施形態の右側に並べて配設されている。化粧カバー８には、それぞれ円形状の窓穴８１ａが左右に並べて２個、それぞれ前後に貫設されており、左側の窓穴８１ａからは扉体２が露出し、右側の窓穴８１ａからは押釦ハンドル１４を露出する。ここで、本実施形態の扉体２は、図６（ｂ）に示す従来の扉体２よりも大きくなっているから、前方から見て押釦ハンドル１４の寸法形状と扉体２の寸法形状とを同じとして統一性のある外観とした場合、本実施形態のほうが押釦ハンドル１４が大きくなって操作しやすくなる。
【００２７】
ここで、プラグが接続されていないときに栓刃挿入口１０ａ〜１０ｃに埃等の異物が入ることを防ぐ方法としては、上記のような扉体２を設けるという方法のほか、化粧カバー８として、図７（ａ）（ｂ）に示すように、カバー本体８１と、カバー本体８１に対して栓刃挿入口１０ａ〜１０ｃを開放する開位置と栓刃挿入口１０ａ〜１０ｃを覆う閉位置との間で変位自在に取り付けられたカバー扉８２とを有する化粧カバー８を用いるという方法もある。カバー本体８１及びカバー扉８２はそれぞれ例えば合成樹脂成型品からなる。
【００２８】
詳しく説明すると、カバー本体８１は、扉体２が挿通される窓穴８１ａが中央部に前後に貫設された長円形状に形成されている。カバー本体８１の前面において窓穴８１ａの上側には、軸受け部８１ｂが前方に突設されている。カバー扉８２は、長方形状であって一端部（図７（ａ）における上端部）に設けられた凹部８２ｂに軸受け部８１ｂを収納するようにして軸受け部８１ｂに枢着されている。これにより、カバー扉８２は、カバー本体８１に対し、図７（ａ）に示すように扉体２を覆う閉位置と、閉位置における上端部を中心として下端部を右方向から見て時計回りに回動させて図７（ｂ）に示すように扉体２を露出させる開位置との間で変位自在となっている。カバー扉８２の閉位置における後面には凹部８２ａが設けられており、窓穴８１ａを通じてカバー本体８１の前面より前方に突出した扉体２は、凹部８２ａに収納される。また、カバー本体８１の前面において窓穴８１ａの下側には係止突起８１ｃが前方へ突設されている。カバー扉８２の閉位置での下端部には、先部が閉位置での後方へ曲がった被掛止突起８２ｃが下方へ突設されている。カバー扉８２が閉位置にあるときには、被係止突起８２ｃが係止突起８１ｃに係止されることによりカバー扉８２は閉位置に維持され、衝撃などによって勝手にカバー扉８２が開くことが防止されている。
【００２９】
また、化粧カバー８の構造は上記のようにカバー扉８２がカバー本体８１に対して回動するものに限られず、図８（ａ）（ｂ）に示すように、カバー扉８２がカバー本体８１に対してスライドするものであってもよい。図８（ａ）（ｂ）の例について詳しく説明すると、カバー本体８１の前面において窓穴８１ａの上下両側には、それぞれ左右に長いガイド凸部８１ｄが前方へ突設されている。カバー扉８２の上下両端部には、それぞれガイド凸部８１ｄの上下方向のうち外側に位置する被ガイド凸部８２ｄが後方へ突設されている。各ガイド凸部８１ｄの上下のうち外側の面には、それぞれガイド溝８１ｅが設けられており、被ガイド凸部８２ｄの上下のうち内側の面に突設された被ガイド突起（図示せず）がガイド溝８１ｅに係入することにより、カバー扉８２はカバー本体８１の前方への脱落を防止され、カバー本体８１に対して左右にスライド可能となっている。また、カバー本体８１に対するカバー扉８２の可動範囲は、被ガイド突起がガイド溝８１ｅの右端に位置して図８（ａ）に示すように扉体２がカバー扉８２に覆われる閉位置から、被ガイド突起がガイド溝８１ｅの左端に位置して図８（ｂ）に示すように扉体２が露出する開位置までとなっている。また、ガイド溝８１ｅの底面の右端部には、係止突起８１ｆが上方へ突設されており、閉位置では被ガイド突起が係止突起８１ｆに係止されることにより、カバー扉８２が勝手に開くことが防止されている。さらに、カバー扉８２を操作しやすいように、カバー扉８２の前面には、滑り止めのためにそれぞれ上下に長い複数本（図では５本）の滑り止め突起８２ｅが左右に並べて前方へ突設されている。また、カバー扉８２の前面には、カバー扉８２が開く方向を示す左向きの三角形状の表示凹部８２ｆが設けられている。
【００３０】
上記のような化粧カバー８は、扉体２を有さないコンセントに用いた場合に、プラグが接続されていないときに栓刃挿入口１０ａ〜１０ｃへの埃等の異物が入り込むことをカバー扉８２によって防ぐことができる。また、化粧カバー８を交換することで、外観やカバー扉８２の構造を容易に変更することができる。さらに、上記の化粧カバー８を本実施形態に用いれば、扉体２とカバー扉８２とを併せて備えることにより、埃等の異物をより確実に阻止することができる。
【図面の簡単な説明】
【００３１】
【図１】（ａ）（ｂ）はそれぞれ本発明の実施形態を示す正面図であり、（ａ）は扉体が閉位置にある状態を示し、（ｂ）は扉体が開位置にある状態を示す。
【図２】（ａ）（ｂ）はそれぞれ同上を示す斜視図であり、（ａ）は扉体が閉位置にある状態を示し、（ｂ）は扉体が開位置にある状態を示す。
【図３】（ａ）〜（ｄ）はそれぞれ同上を示す図であり、（ａ）は正面図、（ｂ）は右側面図、（ｃ）は下面図、（ｄ）は背面図である。
【図４】同上を示す分解斜視図である。
【図５】（ａ）は同上の要部を示す正面図であり、（ｂ）（ｃ）はそれぞれ互いに異なる比較例の要部を示す正面図である。
【図６】（ａ）は同上の使用形態の一例を示す正面図であり、（ｂ）は比較例を示す正面図である。
【図７】（ａ）（ｂ）はそれぞれ同上にカバー扉を有する化粧カバーを取り付けた状態を示す斜視図であり、（ａ）はカバー扉が閉位置にある状態を示し、（ｂ）はカバー扉が開位置にある状態を示す。
【図８】（ａ）（ｂ）はそれぞれ同上に別の形状のカバー扉を有する化粧カバーを取り付けた状態を示す斜視図であり、（ａ）はカバー扉が閉位置にある状態を示し、（ｂ）はカバー扉が開位置にある状態を示す。
【図９】（ａ）（ｂ）はそれぞれ従来例を示す正面図であり、（ａ）は扉体が閉位置にある状態を示し、（ｂ）は扉体が開位置にある状態を示す。
【符号の説明】
【００３２】
１  ハウジング
２  扉体
１０ａ〜１０ｃ  栓刃挿入口
２０ａ〜２０ｃ  栓刃挿通穴
【図１】
2007305489.tif 000003
【図２】
2007305489.tif 000004
【図３】
2007305489.tif 000005
【図４】
2007305489.tif 000006
【図５】
2007305489.tif 000007
【図６】
2007305489.tif 000008
【図７】
2007305489.tif 000009
【図８】
2007305489.tif 000010
【図９】
2007305489.tif 000011